(57)【特許請求の範囲】
【請求項１】
空気流を供給するための少なくとも１つの開口部（７）と、供給された空気流を放出するための開口部（８）とを有する、少なくとも２つの部品（４１，４２）から成るハウジング（４）を備えたエアーベント（１）であって、
前記空気流は、自動車の客室用の暖房システム、換気システムまたは空調システムの空気供給ダクトまたは空気供給管路から前記エアーベント（１）に供給可能であり、
前記エアーベント（１）は、前記ハウジング（４）により、該ハウジング（４）の前記少なくとも２つの部品（４１，４２）のうちの１つを介して、壁部貫通路に挿入可能であるか、またはその後ろに取り付け可能でかつそこに固定可能であり、
前記エアーベント（１）の非動作状態中は、前記ハウジング（４）の前記少なくとも２つの部品のうちの１つ（４２）が、前記ハウジング（４）の他方の部品（４１）内または部品（４１）上に位置し、前記開口部（７）を介して供給された空気流は前記ハウジング（４）内を案内され、空気流の放出のための前記開口部（８）を介して放出され、
前記エアーベント（１）の動作中は、前記ハウジング（４）の少なくとも前記他方の部品（４１）内または部品（４１）上に位置する少なくとも１つの前記部品（４２）が、そこから取り出し移動可能または押し出し可能または引き出し可能であり、またはそこから取り外しシフト可能または取り外し移動可能または取り外し変位可能であり、
前記ハウジング（４）の第２の部品（４２）の中に、前記ハウジング（４）の前記第２の部品（４２）を貫通しかつ壁部（６）を有している貫通路（５）が配置されており、前記貫通路（５）は、該貫通路（５）の一方の側に、前記供給された空気流を放出するための開口部（８）を形成しかつ反対側に、前記ハウジング（４）の前記第２の部品（４２）から空気流を放出しかつ空気流を、前記空気流を放出するための開口部（８）に方向付ける少なくとも１つの出口領域（９）を形成し、前記供給された空気流を放出するための開口部（８）と、前記貫通路（５）の前記反対側とが、前記ハウジング（４）の前記第２の部品（４２）の外壁において、円形、楕円形の形状またはスタジアムの形状を有している、エアーベント（１）。
【請求項２】
前記ハウジング（４）の前記少なくとも他方の部品（４１）内に位置する前記少なくとも１つの部品（４２）は、前記ハウジング（４）の第２の部品（４２）であり、前記壁部貫通路に挿入可能であるか、またはその後ろに取り付け可能でかつそこに固定可能である前記ハウジング（４）の少なくとも１つの部品（４１）は、前記ハウジング（４）の第１の部品である、請求項１記載のエアーベント（１）。
【請求項３】
前記少なくとも１つの出口領域（９）は、前記ハウジング（４）の前記第２の部品（４２）の壁部と、前記貫通路（５）の壁部（６）とによって形成される間隙（９１）を形成し、前記ハウジング（４）の前記第２の部品（４２）の前記壁部は、前記供給された空気流を放出するための開口部（８）の方向に前記間隙（９１）を越えて突出し、これによって空気流は前記間隙（９１）を離れた後に方向付けられ加速される、請求項１または２記載のエアーベント（１）。
【請求項４】
前記貫通路（５）の前記壁部（６）は凹形状を有し、前記供給された空気流を放出するための開口部（８）から反対側に延在する、請求項３記載のエアーベント（１）。
【請求項５】
前記間隙（９１）は、１〜４ｍｍの間の間隙幅を有し、前記ハウジング（４）の前記第２の部品（４２）の前記壁部は、前記間隙（９１）を越えて突出する領域において、１／２〜３ｍｍの間の半径を有する、請求項３記載のエアーベント（１）。
【請求項６】
前記間隙（９１）を有する前記少なくとも１つの出口領域（９）は、開口部領域全体に配置されている、請求項３から５までのいずれか１項記載のエアーベント（１）。
【請求項７】
前記ハウジング（４）内にねじ山付きスピンドル（１０）が配置されており、該ねじ山付きスピンドル（１０）を用いて、前記ハウジング（４）の前記第２の部品（４２）が、前記ハウジング（４）の第１の部品（４１）から取り出し移動可能であるか、または前記ハウジング（４）の前記第１の部品（４１）内に取り込み移動可能であり、前記ねじ山付きスピンドル（１０）の中心長手軸に、管路（１１）が挿入可能である連続する空洞が存在する、請求項１または２記載のエアーベント（１）。
【請求項８】
前記ねじ山付きスピンドル（１０）は、前記ハウジング（４）の前記第１の部品（４１）の内部で軸受（１２）を介して支承され、前記ねじ山付きスピンドル（１０）に歯車（１３）が配置され、該歯車（１３）は歯車ローラ（１４）に係合する、請求項７記載のエアーベント（１）。
【請求項９】
前記管路（１１）は導電性材料から成り、および／または、前記管路（１１）は、該管路（１１）の全長にわたって連続する相互に電気的に絶縁された２つの導電性領域を有し、前記管路（１１）を介して、前記ハウジング（４）の前記第２の部品（４２）内に配置された照明ユニットが電気的に接触接続可能であり、および／または、前記管路（１１）は、前記ハウジング（４）の前記第２の部品（４２）の領域における上方端部に、前記ハウジング（４）の前記第２の部品（４２）の内部空間に開口する少なくとも１つの開口部を有し、これによって前記管路（１１）を介して空気流に芳香物質を供給可能であり、および／または、前記管路（１１）内にケーブルが配置可能であり、該ケーブルを用いて電気的ユニットが、前記ハウジング（４）の前記第２の部品（４２）の中または側で電気的に接触接続可能である、請求項７記載のエアーベント（１）。
【請求項１０】
電気モータ（３）が前記歯車ローラ（１４）と接続可能であり、これによって、前記ハウジング（４）の前記第２の部品（４２）は、前記電気モータ（３）の動作中に前記ねじ山付きスピンドル（１０）によって、前記電気モータ（３）の回転方向に依存して移動可能であり、前記電気モータ（３）と前記歯車ローラ（１４）との間にクラッチが配置されている、請求項８記載のエアーベント（１）。
【請求項１１】
前記ハウジング（４）の前記第２の部品（４２）は、その長手軸線周りで回転可能であり、この回転運動は前記電気モータ（３）を介して行われ、前記ハウジング（４）の前記第２の部品（４２）は、前記ハウジング（４）の前記第１の部品（４１）との接触接続領域に、フェルト層（１７）を有するか、または該フェルト層（１７）が前記ハウジング（４）の前記第２の部品（４２）に配置されている、請求項１０記載のエアーベント（１）。
【請求項１２】
前記ハウジング（４）の前記第２の部品（４２）は、上方領域において、前記ハウジング（４）の前記第２の部品（４２）の前記壁部を取り巻く光導波路（１８）によって取り囲まれている、および／または、前記光導波路（１８）は、空気出口開口部（８）を取り囲んでいる、請求項１から１１までのいずれか１項記載のエアーベント（１）。
【請求項１３】
前記空気流を供給するための開口部（７）は、前記ハウジング（４）の第１の部品（４１）の側方にフランジが付けられた管路またはスタブ管路によって形成されている、請求項１から１２までのいずれか１項記載のエアーベント（１）。
【発明の詳細な説明】
【技術分野】
【０００１】
本発明は、請求項１の特徴部分によるエアーベントに関する。
【背景技術】
【０００２】
エアーベント、特に自動車用のエアーベントは、十分に公知である。
【０００３】
独国特許出願公開第１０２０１１１０００５９号明細書からは、自動車用の換気装置が公知である。この換気装置は、コンソール面を有するコンソールを備え、コンソールには収容部が形成され、コンソールに可動に支承されたエアーベントが含まれる。このエアーベントは、開放位置と、閉鎖位置とに移動することができ、開放位置では空気流出口が収容部から突出し、閉鎖位置ではエアーベントの少なくとも一部が収容部に収まる。その他に複数の空気案内要素が設けられており、これらの空気案内要素は少なくとも部分的に変位可能に支承されており、これらの変位可能な空気案内要素は開放位置において変位可能であり、さらに閉位置において、静止位置の少なくとも１つのコンソール固定ストッパと協働することによって変位可能である。
【０００４】
独国特許出願公開第１０２０１００００８０２号明細書から、自動車の暖房および換気システムまたは空調システムのエアーベントが公知である。このエアーベントは、空気管路に接続されたノズルハウジングと、ノズルハウジング内に支承され空気スロットを備えたノズルインサートとを有する少なくとも１つの空気出口ノズルを備えている。ノズルハウジングは、ノズルインサートのための旋回軸を有しており、これによって、このノズルインサートは、自身で、空気放出位置とドリンク保持位置との間を旋回可能である。
【０００５】
上述した従来技術の欠点は、公知のエアーベントがダッシュボードまたはその取り付け位置に完全には納められないことである。そのため、未使用時にはほぼ平滑で平らな表面が生じるが、エアーベントによって放出させるべき所望の空気量に応じて、エアーベントが取り付けられている表面から、非使用時と比べて相応に異なる位置に取り出し移動可能であり、方向付けられた空気流と同様に拡散された空気流を生成することが可能である。
【発明の概要】
【発明が解決しようとする課題】
【０００６】
それゆえ、本発明の課題は、従来技術の欠点を取り除き、前述した欠点を回避し解決するエアーベントを提供することである。
【課題を解決するための手段】
【０００７】
この課題は、請求項１の特徴を有するエアーベントによって解決される。本発明のさらなる好ましい発展構成は、従属請求項、さらなる説明および特に具体的な実施例に基づく説明に明記されている。
【０００８】
本発明は、少なくとも２つの部品から成るハウジングを有するエアーベントである。その他に、空気流を供給するための少なくとも１つの開口部と、供給された空気流を放出するための開口部とが存在している。空気流は、特に自動車の客室用の暖房システム、換気システムまたは空調システムの空気供給ダクトまたは空気供給管路からエアーベントに供給可能であり、エアーベントは、ハウジングにより、ハウジングの少なくとも２つの部品のうちの１つを介して、壁部貫通路に挿入可能であるか、またはその後ろに取り付け可能でかつそこに固定可能である。エアーベントの非動作状態中は、ハウジングの少なくとも２つの部品のうちの１つが、ハウジングの他方の部品内または部品上に位置する。開口部を介して供給された空気流はハウジング内を案内され、空気流を放出するための開口部を介して放出される。エアーベントの動作中は、ハウジングの少なくとも他方の部品内または部品上に位置する少なくとも１つの部品が、そこから取り出し移動可能もしくは押し出し可能もしくは引き出し可能であり、またはそこから取り外しシフト可能もしくは取り外し移動可能もしくは取り外し変位可能である。
【０００９】
請求項２による本発明の構成では、ハウジングの少なくとも他方の部品内に位置する少なくとも１つの部品は、ハウジングの第２の部品であり、壁部貫通路に挿入可能であるか、またはその後ろに取り付け可能でかつそこに固定可能であるハウジングの少なくとも１つの部品は、ハウジングの第１の部品であることが想定される。
【００１０】
請求項３による本発明の構成では、ハウジングの第２の部品の中に、ハウジングの第２の部品を貫通しかつ壁部を有している貫通路が配置されており、貫通路は、貫通路の一方の側に、供給された空気流を放出するための開口部を形成し、かつ反対側に、ハウジングの第２の部品から空気流を放出しかつ空気流を、空気流を放出するための開口部に方向付ける少なくとも１つの出口領域を形成し、供給された空気流を放出するための開口部と、貫通路の反対側とが、ハウジングの第２の部品の外壁において、円形、楕円形の形状またはスタジアムの形状を有していることが想定される。
【００１１】
請求項４による本発明の構成では、少なくとも１つの出口領域は、ハウジングの第２の部品の壁部と、貫通路の壁部とによって形成される間隙を形成し、ハウジングの第２の部品の壁部は、供給された空気流を放出するための開口部の方向に間隙を越えて突出し、これによって、空気流は、間隙を離れた後に方向付けられ加速されることが想定される。
【００１２】
請求項５による本発明の構成では、貫通路の壁部は凹形状を有し、供給された空気流を放出するための開口部から反対側に延在することが想定される。
【００１３】
請求項６による本発明の構成では、間隙は、１〜４ｍｍの間の間隙幅を有し、ハウジングの第２の部品の壁部は、間隙を越えて突出する領域において、１／２〜３ｍｍの間の半径を有することが想定される。
【００１４】
請求項７による本発明の構成では、間隙を有する少なくとも１つの出口領域は、開口部領域全体に配置されることが想定される。
【００１５】
請求項８による本発明の構成では、ハウジング内にねじ山付きスピンドルが配置され、それを用いてハウジングの第２の部品が、ハウジングの第１の部品から取り出し移動可能であるか、またはハウジングの第１の部品内に取り込み移動可能であり、さらに、ねじ山付きスピンドルの中心長手軸に、管路が挿入可能である連続する空洞が存在することが想定される。
【００１６】
請求項９による本発明の構成では、ねじ山付きスピンドルは、ハウジングの第１の部品の内部で軸受を介して支承され、ねじ山付きスピンドルに歯車が配置され、この歯車は歯車ローラに係合することが想定される。
【００１７】
請求項１０による本発明の構成では、管路は導電性材料から成り、および／または、管路は、管路の全長にわたって連続する相互に電気的に絶縁された２つの導電性領域を有し、管路を介して、ハウジングの第２の部品内に配置された照明ユニットが電気的に接触接続可能であり、および／または、管路は、ハウジングの第２の部品の領域における上方端部に、ハウジングの第２の部品の内部空間に開口する少なくとも１つの開口部を有し、これによって管路を介して空気流に芳香物質を供給可能であり、および／または管路内にケーブルが配置可能であり、ケーブルを用いて電気的ユニットが、ハウジングの第２の部品の中または側で電気的に接触接続可能であることが想定される。
【００１８】
請求項１１による本発明の構成では、電気モータが歯車ローラと接続可能であり、これによって、ハウジングの第２の部品が、電気モータの動作中にねじ山付きスピンドルによって、電気モータの回転方向に依存して移動可能であり、電気モータと歯車ローラとの間にクラッチが配置されることが想定される。
【００１９】
以下では、具体的な実施例に基づいてエアーベントを説明する。具体的な実施例に基づく以下の説明は、これらの具体的な実施例のいずれかに対する本発明の限定を表すものではない。
【図面の簡単な説明】
【００２０】
【図１】エアーベントの概略的斜視図
【図２】本発明によるエアーベントのさらなる概略的斜視図
【図３】エアーベントの一断面図
【図４】エアーベントの一断面図
【図５】さらなるエアーベントの断面図
【図６】さらなるエアーベントの斜視図
【図７】さらなるエアーベントの概略図
【図８】さらなるエアーベントのさらなる概略図
【発明を実施するための形態】
【００２１】
図中、同一の部品および／または構成要素には同一の参照番号が付されている。これらの部品および／または構成要素は、他のことが示されていない限り、実質的に相互に対応する。
【００２２】
図１には、エアーベント１の概略的斜視図が示されている。このエアーベント１はハウジング４を有している。ハウジング４は、第１の部品４１と第２の部品４２とから成っている。ハウジング４の第２の部品４２は、ハウジング４の第１の部品４１内に押し込み可能であり、および／またはハウジング４の第１の部品４１から押し出し可能である。
【００２３】
図１では、ハウジング４の第２の部品４２は、ハウジング４の第１の部品４１から移動され、エアーベント１の運転位置を表している。
【００２４】
ハウジング４の第２の部品４２は、その周面または寸法がハウジング４の第１の部品４１よりも若干小さく形成されており、したがって、ハウジング４の第２の部品４２は、第１の部品４１内にほぼ完全に押し込み可能である。
【００２５】
本発明の代替的な構成では、ハウジング４の第２の部品４２は、その寸法またはサイズがハウジング４の第１の部品４１よりも若干大きく、したがって、ハウジング４の第２の部品は、ハウジング４の第１の部品４１上を変位可能または移動可能である。
【００２６】
ハウジング４は、空気供給開口部７を有している。この空気供給開口部７は、好ましくは、ハウジング４の第１の部品４１に配置される。この配置構成は、空気供給開口部７を介して供給された空気流が、ハウジング４内へ直接到達するのではなく、わずかに側方で、ハウジング４の内壁に沿って滑らかに導かれるように、行われる。
【００２７】
図１の構成によれば、空気供給部は、ハウジング４の第１の部品４１の側方にフランジが付けられた管路またはスタブ管路の形状で実現される。
【００２８】
ハウジング４は、図１による実施例では底部２を有する円筒形の基本形状を有しており、そのため、これは空気流を供給するための開口部７を介して、ハウジング４内への流入時に空気渦流を発生させ、この空気渦流はハウジング４を貫通して流れ、空気流を放出するための開口部８まで螺旋状に繋がって延在する。
【００２９】
空気流を放出するための開口部８は、ハウジング４の第２の部品４２に配置されている。
【００３０】
ハウジング４の第１の部品４１は、ハウジング４の第１の部品４１の上端部を取り囲むエッジウェブ１５を有する。このエッジウェブ１５は、ハウジング４を自動車のダッシュボード内またはダッシュボードに固定するのに用いられる。
【００３１】
下側、すなわち底部２では、ハウジング４の第１の部品４１に電気モータ３が配置される。この電気モータ３は、歯車ローラ１４を駆動する。この歯車ローラ１４は、図１には示されていない歯車１３を介して作用接続される。この歯車１３は、同様に図１には示されていないねじ山付きスピンドル１０に配置されている。
【００３２】
ハウジング４内の中央部の中心には真っ直ぐに直立する管路１１が配置されている。ねじ山付きスピンドル１０は、この管路１１上を、ハウジング４の第１の部品４１内で上下に移動可能である。
【００３３】
図２には、エアーベント１のさらなる概略的斜視図が示されている。図２では、ハウジング４の第２の部品４２は、ハウジング４の第１の部品４１内にほぼ完全に取り込まれているかまたは押し込まれている。ここでは、ハウジング４の第２の部品４２の上側がわずかにエッジウェブ１５を越えて突出していることが明らかである。
【００３４】
歯車１３と作用接続されるねじ山付きスピンドル１０が示されている。歯車１３は、ねじ山付きスピンドル１０の下方に固定的に配置されている。
【００３５】
本発明の有利な構成では、ねじ山付きスピンドル１０は熱可塑性プラスチックから製造され、歯車１３は、ねじ山付きスピンドル１０上に射出成形される。
【００３６】
図２による設定においては、管路１１が位置する空洞が、ねじ山付きスピンドル１０の内部に存在し、その長手軸を中心に連続している。ねじ山付きスピンドル１０は、歯車１３を介して歯車ローラ１４と機械的に接続される。ねじ山付きスピンドル１０は、外面に当該ねじ山付きスピンドルを螺旋状に取り巻く溝１６を有している。ねじ山付きスピンドル１０は、図２には示されていないウェブ１９を介してハウジング４内に支持されている。このウェブ１９は、ねじ山付きスピンドル１０が回転可能に支承される軸受１２を形成する。
【００３７】
本発明の有利な構成では、軸受１２は、ボールベアリングとして構成される。
【００３８】
軸受１２は、ねじ山付きスピンドル１０がその長手軸線周りに回転した場合に、ねじ山付きスピンドル１０が溝１６を介して軸受１２内で上方または下方にねじ込まれ、それに伴ってハウジング４の第２の部品４２がハウジング４の第１の部品４１に対して変位または移動するように、構成されている。
【００３９】
電気モータ３は、電気モータ３の回転方向に応じて歯車ローラ１４を駆動する。この歯車ローラ１４は、歯車１３を介して回転運動をねじ山付きスピンドル１０に伝達し、ねじ山付きスピンドル１０は上方または下方に向かって移動し、ハウジング４の第２の部品４２は、ハウジング４の第１の部品４１に対して変位または移動する。
【００４０】
図３には、エアーベント１の断面図が示されており、ここでは、ハウジング４の第２の部品４２が、ハウジング４の第１の部品４１から押し出されている。歯車１３を有するねじ山付きスピンドル１０は、この位置では歯車ローラ１４の上端部に到達している。これにより、ハウジング４の第１の部品４１からのハウジング４の第２の部品４２の押し出しの最大位置が達成される。
【００４１】
ねじ山付きスピンドル１０の空洞内には管路１１が位置し、この管路１１は、ハウジング４の第１の部品４１の全長にわたって連続し、ハウジング４の下側を越えて延びている。ねじ山付きスピンドル１０は、図３には示されていないウェブ１９と軸受１２とを介して支持されている。ねじ山付きスピンドル１０を中心長手軸線周りに回転させる場合、ねじ山付きスピンドル１０は、ねじ山付きスピンドル１０の外面に下方から上方に延びるらせんの形状で設けられている溝１６によって、軸受１２を介して上方または下方に、回転方向に依存してねじ込まれるかまたは変位され、これによって、底部側でねじ山付きスピンドル１０の上端部と結合されているハウジング４の第２の部品４２は、ハウジング４の第１の部品４１から押し出されるかまたは第１の部品４１内に引き込まれる。
【００４２】
管路１１は、上端部に、ハウジング４の第２の部品４２の内部空間に開口する開口部を有する。この開口部を介して、１種類以上の芳香物質を、管路１１によりハウジング４の第２の部品４２の内部空間内にもたらしおよび調量することが可能である。ハウジング４の内部の空気流は、既述したように、渦巻きを発生させ、そのため芳香物質は空気流によって吸引され、エアーベント１を離れるときに周辺環境に放出される。
【００４３】
ハウジング４の第１の部品４１とハウジング４の第２の部品４２との間に、フェルト層１７が設けられている。このフェルト層１７は、ハウジング４の第２の部品４２を、ハウジング４の第１の部品４１から取り出し移動させる際に場合によって生じる摩擦音を回避するために用いられる。その他にも、ハウジング４の第２の部品４２をハウジング４の第１の部品に対して回転させる際の摩擦音が低減または防止または減衰される。同時に、フェルト層１７は、ハウジング４の第１の部品４１とハウジング４の第２の部品４２との間でシールを生じさせる。
【００４４】
ハウジング４の第２の部品４２は、ハウジング４の第１の部品４１に対して、エアーベント１の中心長手軸線周りで回転可能に支承されて配置され、さらにその他にもハウジング４の第１の部品４１から既述したように取り出し移動可能または取り込み移動可能である。
【００４５】
ハウジング４の第２の部品４２は、ハウジング４の第１の部品４１に対して回転可能であり、これによって、空気流を放出するための開口部８が任意の方向に設定することができ、したがって、空気流を放出するための開口部８から出た空気流は、それぞれ所望の方向に設定することができる。
【００４６】
さらに、図３には示されていない空気案内要素が設けられており、これは空気流の方向付けに付加的に影響を及ぼすことができる。
【００４７】
ハウジング４の第２の部品４２には、光導波路１８が設けられている。これらの光導波路１８は、光を放出する照明ユニットに接続されており、この照明ユニットは、好ましくは発光ダイオードまたはＬＥＤである。これらの光導波路１８は、照明装置によって放出された光をエアーベント１に沿って案内し、分配するように設けられている。これにより、エアーベント１を照明することができる。
【００４８】
本発明のさらに好ましい構成では、エアーベント１から出る空気が自動車の室内空間の空気よりも冷たい場合には、光導波路１８を介してエアーベントを青色光で照明することが想定される。この照明は、エアーベント１から出る空気が自動車の室内空間の空気よりも暖かい場合には、赤色光で行われ、エアーベント１から出る空気が自動車の室内空間の空気とほぼ同じ温度を有する場合には、白色光で行われ、さらに、エアーベント１から出る空気が自動車の室内空間に導入する前にフィルターまたはオゾンを使用して洗浄過程を経ている場合には、緑色光で行われる。
【００４９】
照明ユニットへの電気エネルギーの供給は、好ましくはケーブルを介して行われる。このケーブルは、管路１１内に敷設されるか、さもなければ直接管路１１自体を介して行われる。管路１１自体を介して供給する後者の場合、管路１１は好ましくは導電性材料で製造される。これにより、電流を流すことができる。本発明の別の好ましい構成では、管路１１は、相互に電気的に絶縁された２つの導電性領域を有しており、これらは長手軸方向で管路を進むので、これによって管路１１を、導体路として電流の供給と取り出しのために用いることができる。したがって、ケーブルまたはケーブルの敷設を省略することができる。
【００５０】
歯車１３は、ねじ山付きスピンドル１０の下側に固定的に配置されている。しかしながら、歯車ローラ１４は、歯車１３が歯車ローラ１４と作用接続されるようにねじ山付きスピンドル１０の回転軸線に対してずらされて配置されている。歯車ローラ１４は、ハウジング４の第１の部品４１の上方および下方で、長手軸線周りに回転可能に支承され、電気モータと機械的に作用接続されている。
【００５１】
本発明の有利な構成では、電気モータ３と歯車ローラ１４との間に滑りクラッチが配置されている。
【００５２】
図４には、エアーベント１のさらなる断面図が示されている。軸受１２を形成し、ねじ山付きスピンドル１０を支持するウェブ１９は、ハウジング４の第１の部品４１の内側に接続されている。ねじ山付きスピンドル１０の長手軸線周りの回転の際には、ねじ山付きスピンドル１０は、支持体１９において装置に係合する溝１６によって、回転方向に応じて下方または上方へ移動する。ねじ山付きスピンドル１０は、その上端部がハウジング４の第２の部品４２に接続され、これによって、ハウジング４の第２の部品４２は、ねじ山付きスピンドル１０とその垂直方向での動きとに結合されている。しかしながら、ねじ山付きスピンドル１０は、ハウジング４の第２の部品４２がスピンドル周りで回転可能となるように、ハウジング４の第２の部品４２に接続または結合されている。
【００５３】
本発明によるエアーベント１のさらなる実施例の断面図が図５に示されている。図６にはそのようなエアーベント１の斜視図が示されている。
【００５４】
ただし、図５および図６の構成によれば、ハウジング４の第１の部品４１およびハウジング４の第２の部品４２のハウジング形状は、幾何学的に同一ではなく異なっている。しかしながら、ハウジング４の第２の部品４２は、ハウジング４の第１の部品４１から押し出し可能であり、またはこれに引き込み可能である。
【００５５】
ねじ山付きスピンドル１０は省略することができるが、管路１１は依然として存在する。管路１１は、ウェブ１９によって支持されている。
【００５６】
第１の電気モータ３１が存在しており、この第１の電気モータ３１は、歯車３１１を介して、ハウジング４の第２の部品４２に配置された凹部３１２内に係合し、さらにハウジング４の第２の部品４２を、電気モータ３１の回転方向に応じてハウジング４の第１の部品４１から押し出すかまたはこれに押し込む。
【００５７】
さらに第２の電気モータ３２が存在しており、この第２の電気モータ３２は、歯車３２１を介して、ハウジング４の第２の部品４２の内側に固定的に配置されたリムギア３２２に係合し、さらにハウジング４の第２の部品４２を、ハウジング４の第１の部品４１に対して中心軸線周りに回転させる。この電気モータ３２は、ハウジング４の第２の部品４２に接続され、これを第１の電気モータ３１を介して上方または下方に移動させる。
【００５８】
さらに第３の電気モータ３３が存在しており、この第３の電気モータ３３は、歯車３３１と作用接続されている。この歯車３３１は、空気流の方向付けに影響を及ぼすスラット３３３，３３４に作用する。水平に配置されたスラット３３３が存在しており、このスラット３３３は、ハウジング４の第２の部品４２内に位置しており、さらに垂直に配置されたスラット３３４が存在しており、このスラット３３４は、ハウジング４の第２の部品４２の壁部に取り付けられ、そこに位置している。
【００５９】
図５および図６による実施形態では、空気流８を放出するための開口部は上方に設けられている。ただし、付加的に垂直に配置されたスラット３３４は、電気モータ３３を介して同様に調整可能であり、さらにハウジング４の第２の部品４２の壁部における開口部を開閉する。これにより、空気を側方にも放出することができ、その他にも空気はスラット３３４によってその方向付けに影響を及ぼされる。
【００６０】
図７には、エアーベント１のハウジング４が、ハウジング４の第１の部品４１から押し出された第２の部品４２とともに概略的に示されている。空気流を放出するための開口部８は、貫通した開口部の形状で構成され、これはハウジング４の第２の部品４２を完全に貫通している。
【００６１】
しかしながら、空気流を方向付けるために、エアーベント１は間隙エアーベントとして構成されている。
【００６２】
図８には、ハウジング４の第２の部品４２の水平断面図が示されている。空気流を放出するための開口部８の反対側には、間隙９１を形成する開口部９が存在する。この開口部９は、ほぼ全ての開口部を取り巻いている。
【００６３】
間隙９１は、ハウジング４の第２の部品４２を完全に貫通する貫通路５の壁部６によって形成される。貫通路５の、供給された空気流を放出するための開口部８とは反対側には出口領域９が配置されており、この出口領域９は、間隙９１を形成する。エアーベント１に供給された空気はこの出口領域９を介して放出され、空気流を放出するための開口部８の方向に方向付けられる。この目的のために、貫通路５の壁部６と、ハウジング４の第２の部品４２の壁部との間に形成された間隙９１が設けられており、間隙９１の領域では、ハウジング４の第２の部品４２の壁部が、貫通路５の壁部６を越えて内方に突出している。
【００６４】
貫通路５は、円形、楕円形の形状またはいわゆるスタジアムの形状を有する。
【００６５】
既述したように、出口領域９は、ハウジング４の第２の部品４２の壁部と、貫通路５の壁部６とによって形成される間隙９１を形成し、ハウジング４の第２の部品４２の壁部は、供給された空気流を放出するための開口部８の方向に間隙９１を越えて突出している。そのため、空気流は、間隙９１を離れた後で開口部８の方向に方向付けられる。
【００６６】
間隙９１とその成形によって空気流は加速される。
【００６７】
貫通路５の壁部６は、凹状の形状を有し、供給された空気流を放出するための開口部８から反対側に延在している。
【００６８】
好ましい構成では、この成形も放物面として実施される。
【００６９】
間隙９１は、１〜４ｍｍの間の間隙幅を有する。ハウジング４の第２の部品４２の壁部は、好ましくは間隙９１を越えて突出する領域が、１／２から３ｍｍまでの半径を有する。
【００７０】
ハウジング４の第２の部品４２は、上方領域に、ハウジング４の第２の部品４２の壁部を取り巻く光導波路１８を有する。本発明のさらなる構成では、この光導波路は、空気流を放出するための開口部８を取り囲んでいる。
【００７１】
本発明の好ましい構成では、電気モータの代わりに、ねじ山付きスピンドルを駆動するクランクが設けられる。
【００７２】
本発明のさらなる好ましい構成では、電気モータ３，３１，３２，３３は、操作ユニットを介して制御可能である。
【００７３】
本発明のさらなる好ましい構成では、ハウジング４の第２の部品４２がスピンドル駆動部を介して中心軸線周りを回転可能であり、これによって空気流を放出するための開口部８、ひいては空気流が可変になっている。ハウジング４の第２の部品４２の回転により、空気流出方向を異なる方向に設定することができる。空気流出方向は、例えば室内空間に方向付けることができ、またはフロントウインドウもしくはサイドウインドウの方へ方向付けることができる。
【００７４】
本発明のさらなる好ましい構成では、電気モータ３，３１，３２，３３は、ハウジング４の第２の部品４２および／またはスラット３３３，３３４が、予め設定可能な異なる位置をとり、これによって自動車の室内空間における最適な空気分配を行うことができるように、制御ユニットを介して駆動制御可能であることが想定される。
【００７５】
空気流がほぼ完全にフロントウインドウに方向付けられるデフロスター位置を設定することが可能である。また、室内空間のために特別な空調機能を選択することも可能である。この場合、その後、ハウジング４の第２の部品４２が連続的にその配向方向を変え、これによって車両室内空間全体が空気を入れ換えられる。
【００７６】
本発明の好ましい構成では、電気モータ３およびねじ山付きスピンドル１０は、ハウジング４の外部に配置される。これにより、ハウジング４内部の空気流は、関連する構成要素によって影響を及ぼされない。
【００７７】
例えば、自動車の運転者側および助手席側のダッシュボード内にそれぞれ少なくとも１つの本発明によるエアーベント１が配置されているならば、本発明の好ましい構成において次のことが想定される。すなわち、制御ユニットを用いてエアーベント１がそれらのハウジング４の第２の部品４２の方向付けにおいて、それらが固有の軸線周りを回転するが、空気出口開口部の配向方向は常に反対方向に方向付けられるように駆動制御され、これによって個々の空気流が直接的に重なり合うことおよび／または打ち消し合うことがなく、そのため空気流が自動車内に常に存在することが想定される。
【符号の説明】
【００７８】
１      エアーベント
２      底部
３      電気モータ
３１    電気モータ
３２    電気モータ
３３    電気モータ
３１１  歯車
３２１  歯車
３３２  歯車
３１２  凹部
３２２  リムギア
３３３  スラット
３３４  スラット
４      ハウジング
４１    （ハウジングの）第１の部品
４２    （ハウジングの）第２の部品
４２１  （ハウジングの）第２の部品の壁部
５      貫通路
６      （貫通路の）壁部
７      空気流を供給するための開口部
８      空気流を放出するための開口部
９      出口領域
９１    間隙
１０    ねじ山付きスピンドル
１１    管路
１２    軸受
１３    歯車
１４    歯車ローラ
１５    エッジウェブ
１６    溝
１７    フェルト層
１８    光導波路
１９    ウェブ
【図１】
0006646141.tif 000002
【図２】
0006646141.tif 000003
【図３】
0006646141.tif 000004
【図４】
0006646141.tif 000005
【図５】
0006646141.tif 000006
【図６】
0006646141.tif 000007
【図７】
0006646141.tif 000008
【図８】
0006646141.tif 000009